(57)【要約】【課題】  指紋照合機を用いて、特定の人物のみが設定変更を行うことができるようにし、権限の無い者による不正な設定変更を防止する。【解決手段】  鍵でシリンダー内のロータを回転させることによりオンオフを切り換える形式のスイッチであって内部動作に関する設定変更を行うための設定変更用スイッチと、前記設定変更用スイッチが操作されたときに予め定められた手順に従い設定変更を行う制御部とを備える遊技機において、前記設定変更用スイッチのロータに凹部を設け、これにロック機構が嵌まり込むことで前記設定変更用スイッチをロックするように構成する。指紋照合機で前記ロック機構を駆動してロックする。【選択図】        図３
2006223489.tif 000002
【特許請求の範囲】
【請求項１】
鍵でシリンダー内のロータを回転させることによりオンオフを切り換える形式のスイッチであって内部動作に関する設定変更を行うための設定変更用スイッチと、前記設定変更用スイッチが操作されたときに予め定められた手順に従い設定変更を行う制御部とを備える遊技機において、
前記ロータの回転を禁止するロック機構が設けられ、前記設定変更用スイッチのロータの外周の一部に凹部が設けられていて、これに前記ロック機構が嵌まり込むことで前記設定変更用スイッチをロックするように構成されており、
押し当てられた指の指紋を検出して予め登録された指紋と照合する指紋照合機と、前記指紋照合機の出力に基づき前記ロック機構を駆動する駆動部とを備えることを特徴とする遊技機。    
【請求項２】
鍵でシリンダー内のロータを回転させることによりオンオフを切り換える形式のスイッチであって内部動作に関する設定変更を行うための設定変更用スイッチと、前記設定変更用スイッチが操作されたときに予め定められた手順に従い設定変更を行う制御部とを備える遊技機において、
前記ロータの回転を禁止するロック機構が設けられ、前記設定変更用スイッチのロータの外周の一部に凹部が設けられていて、これにロック機構が嵌まり込むことで前記設定変更用スイッチをロックするように構成されており、
前記設定変更が可能な設定変更可能時間帯に関する情報を記憶する設定変更時間帯記憶部と、現在の時刻を前記設定変更時間帯記憶部の情報と比較する設定変更時間帯判断部と、前記設定変更時間帯判断部の出力に基づき前記ロック機構を駆動する駆動部とを備えることを特徴とする遊技機。
【請求項３】
前記ロック機構は、支点を中心に回動するアーム状の部材であり、当該部材が回動したときにその一部が前記凹部に嵌まり込むように構成され、前記駆動部は前記ロック機構を回転させるものであることを特徴とする請求項１又は請求項２記載の遊技機。
【請求項４】
前記ロック機構は、前記凹部の近傍に設けられたソレノイドであり、その作用部を突出させたときにその一部が前記凹部に嵌まり込むように構成され、前記駆動部は前記ソレノイドの作用部を突出させるものであることを特徴とする請求項１又は請求項２記載の遊技機。
【発明の詳細な説明】
【技術分野】
【０００１】
この発明は、スロットマシン等の遊技機に関し、特に設定変更に関するセキュリティを向上させたものに関する。
【背景技術】
【０００２】
スロットマシン等の遊技機において、遊技者が所定の枚数のメダルや遊技球等の遊技媒体を遊技機に投入してゲームを楽しむことができる。遊技に必要な遊技媒体は、遊技ホール内に設けられた遊技媒体貸機等で借りることができ、所望の遊技機の遊技媒体投入口に投入することによりゲームを開始することができる。
【０００３】
スロットマシンは、基本的に絵柄が揃ったときに賞品としてメダルを払い出すものであるが、絵柄が揃うかどうかは内部のコンピュータによる抽選の結果に従う。また、ビッグボーナス、レギュラーボーナス、小役などのさまざまな賞も内部のコンピュータによる抽選の結果に従う。抽選の処理の内容は所定の範囲内で設定変更が可能であり、遊技機が設置されるホールなどにおいて店側により設定作業が行われる。設定変更は、遊技機の扉を開け、電源部に設けられた設定キースイッチをオンにしつつ電源スイッチをオフからオンにし、設定変更可能なモードに移行した後、設定変更スイッチを押す等の所定の操作手順により行われた。
【特許文献１】特開２００３−１１７０７４「遊技機及びプログラム及び記憶媒体」
【発明の開示】
【発明が解決しようとする課題】
【０００４】
遊技者のごく一部に不正行為（いわゆるゴト行為）を行う者がいた。例えば、設定変更を不正に行うことにより、遊技機の設定を自己に有利なものに不正に変更する者がいた。このような不正行為を防止するために、遊技機の扉には鍵が設けられて容易に開閉できないようになっているとともに、設定変更モードにする際に鍵を必要とするようになっていた。しかし、盗んだ鍵を使うなどして設定変更を行うことがあったようである。鍵さえあれば不正な設定の変更が可能であった。
【０００５】
本発明は、不正な設定変更を防止できる遊技機を提供することを目的とする。
【課題を解決するための手段】
【０００６】
この発明は、鍵でシリンダー内のロータを回転させることによりオンオフを切り換える形式のスイッチであって内部動作に関する設定変更を行うための設定変更用スイッチと、前記設定変更用スイッチが操作されたときに予め定められた手順に従い設定変更を行う制御部とを備える遊技機において、
前記ロータの回転を禁止するロック機構が設けられ、前記設定変更用スイッチのロータの外周の一部に凹部が設けられていて、これにロック機構が嵌まり込むことで前記設定変更用スイッチをロックするように構成されており、
押し当てられた指の指紋を検出して予め登録された指紋と照合する指紋照合機と、前記指紋照合機の出力に基づき前記ロック機構を駆動する駆動部とを備えることを特徴とする。
前記指紋照合機は、遊技機の扉のヒンジ側に設けることが好ましい。
【０００７】
この発明は、鍵でシリンダー内のロータを回転させることによりオンオフを切り換える形式のスイッチであって内部動作に関する設定変更を行うための設定変更用スイッチと、前記設定変更用スイッチが操作されたときに予め定められた手順に従い設定変更を行う制御部とを備える遊技機において、
前記ロータの回転を禁止するロック機構が設けられ、前記設定変更用スイッチのロータの外周の一部に凹部が設けられていて、これにロック機構が嵌まり込むことで前記設定変更用スイッチをロックするように構成されており、
前記設定変更が可能な設定変更可能時間帯に関する情報を記憶する設定変更時間帯記憶部と、現在の時刻を前記設定変更時間帯記憶部の情報と比較する設定変更時間帯判断部と、前記設定変更時間帯判断部の出力に基づき前記ロック機構を駆動する駆動部とを備えることを特徴とする。
【０００８】
例えば図５及び図７（ｂ）に示すように、前記ロック機構は、支点を中心に回動するアーム状の部材であり、当該部材が回動したときにその一部が前記凹部に嵌まり込むように構成され、前記駆動部は前記ロック機構を回転させるものである。
【０００９】
例えば図７（ａ）に示すように、前記ロック機構は、前記凹部の近傍に設けられたソレノイドであり、その作用部を突出させたときにその一部が前記凹部に嵌まり込むように構成され、前記駆動部は前記ソレノイドの作用部を突出させるものである。
【００１０】
なお、前記設定変更時間帯判断部は、設定変更不可時間帯に該当する場合には前記設定変更要求を不正なものであると判断してエラー処理を行うようにしてもよい。
【００１１】
なお、前記設定変更時間帯記憶部は、遊技機が設置されているホールの営業時間に合わせた時間帯の情報を記憶するようにしてもよい。
【００１２】
なお、前記設定変更時間帯記憶部の情報は、曜日、年月日などのカレンダー情報を含んでもよい。
【００１３】
なお、前記設定変更時間帯記憶部は、電源投入時又は通常の設定変更の手順により設定変更処理を実行した時を基準として予め定められた時間を設定変更不可時間帯として記憶してもよい。
【００１４】
なお、通常の設定変更の手順と異なる特別な手順を記憶する特別手順記憶部を備え、前記設定変更時間判断部により設定変更不可時間帯に該当すると判断された場合において、前記制御部は受け付けた操作手順を前記特別手順記憶部の手順と比較し、これらが一致したときにロックを解除するようにしてもよい。
【発明の効果】
【００１５】
本発明によれば、指紋照合機を備えるので、特定の人物のみが設定変更を行うことができ、権限の無い者による不正な設定変更を防止することができる。また、設定変更可能時間帯においてのみ設定変更を行うことができるので、例えば営業時間内において不正な設定変更を防止することができる。
【発明を実施するための最良の形態】
【００１６】
発明の実施の形態１．
この発明の実施の形態に係る遊技機（スロットマシン）について図面を参照して説明する。
【００１７】
図１は前扉を閉めた状態を示すスロットマシンの正面図、図２は前扉を１８０度開いた状態を示すスロットマシンの正面図を示す。
【００１８】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００１９】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００２０】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００２１】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２２】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２３】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓１３１が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニット２０３の駆動を開始させる。リールユニット２０３は、ストップスイッチ１４０によりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２４】
図３は発明の実施の形態に係るスロットマシンの機能ブロック図を示す。
図３において、２００、２０１はそれぞれＣＰＵ、ＲＯＭ及びＲＡＭを内蔵するメイン基板（制御部）、サブ基板である。メイン基板２００はメダルの投入、払い出し、リールの制御、当選処理などを行う。サブ基板２０１は演出表示などの処理を行う。２０２はスタートスイッチ１３４やストップスイッチ１４０、符号を付していないベットスイッチなどのスイッチからなる操作部である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。１２１は、貯留したメダルを前扉１３０の前面に設けた払出し口１３５に１枚ずつ払い出すためのホッパ装置である。
【００２５】
図３の遊技機の電源部２０５には、抽選の処理に関する設定を変更するための設定キースイッチ２０５４と、押し当てられた指の指紋を検出して予め登録された指紋と照合する指紋照合機２０６０と、設定キースイッチロック機構駆動部２０６１とが設けられている。設定キースイッチ２０５４は、鍵でシリンダー内のロータを回転させることによりオンオフを切り換える形式のスイッチである。詳しくは後述するが、設定キースイッチのシリンダー内のロータの外周（図６の断面図におけるロータ２０５４ａの円周）の一部には凹部が設けられていて、これにロック機構が嵌まり込むことで設定キースイッチはロックされる。ロック状態ではキーを回してスイッチ２０５４をオンすることができない。
【００２６】
図４は電源部２０５の正面図である。指紋照合機２０６０は指紋の検出部２０６０ａと、数字等を入力する入力部２０６０ｂとを備えるとともに、図示しないが内部にＣＰＵとメモリを内蔵する。指紋照合機２０６０は公知のものであり、検出部２０６０ａに押し当てられた指紋を読み取り、予め登録されている指紋と比較し、その比較結果を出力するものである。複数の指紋を登録することができ、登録の操作は入力部２０６０ｂを通じて行う。
【００２７】
図５は、図４のＡ−Ａ矢視断面図を示す。図６は、図５のＢ−Ｂ矢視断面図を示す。図５及び図６を参照してロック機構を説明する。これらの図において、２０５４ａはスイッチ２０５４のロータ（回転部分）、２０５４ｂはロータ２０５４ａを収納するシリンダー、２０６２はロック機構、２０６２ａはロック機構の先端部である。ロック機構２０６２は設定キースイッチロック機構駆動部（例えばモーター）２０６１の回転軸に取り付けられたアーム状の部材であり、駆動部２０６１により図５（ａ）の矢印の方向に回転されるものである。
【００２８】
図５及び図６に示すように、シリンダー２０５４ｂ及びロータ２０５４ａの外周には切り欠き部が設けられ、スイッチ２０５４がオフの状態（設定変更不可の状態）で両方の切り欠き部が重なってひとつの凹部Ｘを構成している（シリンダー２０５４ｂの切り欠き部はロータ２０５４ａのそれと一致しなくてもよく、もっと大きなものであってもよい。重要なのはロータ２０５４ａの切り欠き部（凹部）である）。図５（ａ）及び図６の状態ではロータ２０５４ａは自由に回転することができ、鍵ＫＥＹでスイッチ２０５４のオンオフが可能である。しかし、設定キースイッチロック機構駆動部２０６１により、図５（ｂ）に示すようにロック機構２０６２を回転させ、その先端部（例えば板状のもの）２０６２ａを凹部Ｘに嵌め込むとロータ２０５４ａは回転することができなくなり、設定キースイッチ２０５４はロック状態となる。
【００２９】
指紋照合機２０６０の出力により設定キースイッチ２０５４をロックしたり、アンロック（ロックの解除）したりできるので、設定キースイッチ２０５４とともに指紋を用いて設定変更のセキュリティを向上させることができる。すなわち、指紋認識装置２０６０で指紋の登録及び指紋の照合を行い、合致した場合は設定キースイッチ２０５４のロック機構駆動部２０６１に特定の信号を送信し、図５（ａ）のようにロック機構（ストッパー）２０６２を下げ、設定キースイッチ２０５４が回るようになる。また、設定変更後は再びロック機構２０６２ストッパーをロックし（図５（ｂ）の状態）、設定変更キーＫＥＹだけではロータ２０５４ａが回らないようにする。
【００３０】
以上のような構成により、不正に入手した設定キーを利用しての設定の変更を行うことができなくなり、セキュリティが向上し、不正行為を防止することができる。
【００３１】
なお、指紋照合機２０６０を遊技機の前扉１３０のヒンジ側に設けるとよい。通常、ヒンジは左側に設けられるので図４のような配置が好ましい。このような配置では指紋照合を行うために前扉１３０を大きく開く必要があり、指紋照合機２０６０に不正な工作を加えることがやりにくくなる。
【００３２】
なお、図５のセキュリティ機構は一例であり、他の例を図７に示す。図７（ａ）は凹部Ｘの真下にロック機構駆動部（ソレノイド）２０６１−２を配置し、突出したり引っ込んだりするその作用部をロック機構２０６２−２とした例である。ソレノイド２０６１−２を駆動してその作用部２０６２−２を凹部Ｘに挿入すると、設定キースイッチ２０５４はロック状態になる。図７（ｂ）はアーム状のロック機構２０６２の途中を支点Ｓで支えたものを示す。ソレノイドの作用部２０６２−２をロック機構２０６２の端（先端部２０６２ａの反対側）に結合し、ソレノイド２０６１−２を駆動してロック機構２０６２を矢印の方向へ動かし、その先端部２０６２ａを凹部Ｘに挿入すると、設定キースイッチ２０５４はロック状態になる。
【００３３】
図８（ａ）は指紋照合に関する処理の初期設定手順を示すフローチャートであり、同図（ｂ）は指紋照合を条件とした設定変更処理のフローチャートである。まず、指紋照合機２０６０の入力部２０６０ｂを操作して照合用指紋変更（又は追加）を開始する（Ｓ１でＹＥＳ）。検出部２０６０ａに押し当てられた指の指紋を読み取り（Ｓ２）、読み取った指紋を図示しないメモリに記憶する（Ｓ３）。
【００３４】
設定変更に際して、まず最初に指を検出部２０６０ａに押し当てることを条件とし（Ｓ１１でＹＥＳ）、検出部２０６０ａに押し当てられた指の指紋を読み取り（Ｓ１２）、読み取った指紋をメモリに記憶されている指紋と比較する（Ｓ１３）。メモリに複数の指紋が登録されている場合には全部の指紋と比較する。読み取った指紋がメモリにいずれかの指紋と一致したら（Ｓ１３でＹＥＳ）、照合成功とし（Ｓ１４）、設定キースイッチロック機構駆動部２０６１を駆動してロックを解除する（Ｓ１５）。そして、従来と同様の手順で設定変更処理を実行する（Ｓ１６）。読み取った指紋がメモリにいずれの指紋とも一致しなかったら（Ｓ１３でＮＯ）、照合失敗としロック機構を解除しない（解除されていた場合はロックする）（Ｓ１７）。その際、ブザーを吹鳴させたり画面にエラー表示を行うなどエラー処理を行うようにしてもよい。例えば、サブ基板２０１へコマンドを送り、演出表示部２０４のブザーを吹鳴させるとともに、ランプを点滅させる。この状態はリセットスイッチ２０５５が押されるまで継続する。サブ基板２０１によるエラー報知とともに、あるいはこれに代えてメイン基板２００で遊技を受け付けないように処理してもよい。このようにすると遊技機がフリーズした状態になり、遊技の続行は不可能になる。このようにすれば不正行為を強く躊躇させると思われ、不正行為防止の点で効果的である。
【００３５】
発明の実施の形態２．
発明の実施の形態１は指紋照合を行い、照合をパスしたときに設定キースイッチ２０５４のロックを解除するというものであった。発明の実施の形態２は予め定められた時間帯（例えばホールの営業時間帯）でロック状態にしておき、他の時間帯でロックを解除するというものである。すなわち、設定変更を禁止できる時間帯を予め設定し、その時間帯を監視することで、営業中に行われる不正行為による設定変更を防止するものである。通常、設定変更はホール営業前もしくは営業後に行われる。そこで、予め営業時間中に当たる時間帯を設定変更不可時間帯として設定し、その時間帯に設定変更が行われた場合には不正行為と判断し、明示的にエラー状態を表現するものである。
【００３６】
発明の実施の形態２に係る遊技機のブロック図を図９に示す。同図において、図３と同一又は相当部分には同一符号を付してある。
【００３７】
２０６３はリアルタイムクロックであり、時刻情報又は時刻情報と日付カレンダー情報を出力する。リアルタイムクロック２０６３の出力により何らかの操作が行われた日付や曜日、時刻を判定することができる。２０６５は設定変更を禁止する時間帯に関する情報を予め記憶している設定変更時間帯記憶部である。２０６４は設定変更時間帯記憶部２０６５のテーブルを参照して設定変更の許可又は不許可を判断する設定変更時間帯判断部である。なお、設定変更時間帯２０６５には設定禁止の時間帯又は設定変更が禁止されていない時間帯の少なくともいずれかを記憶しておく。設定変更時間帯記憶部２０６５はメイン基板２００と独立したメモリ（例えばＥＥＰＲＯＭ）で実現されてもよいし、メイン基板２００上のメモリで実現されてもよい。また、リアルタイムクロック２０６３と設定変更時間帯判断部２０６４はメイン基板２００と独立したハードウエアで実現されてもよいし、メイン基板２００のＣＰＵによりソフトウエアで実現されてもよい。
【００３８】
電源部２０５には、設定変更を禁止する時間帯（又は設定変更が禁止されていない時間帯）の設定を行う図示しないスイッチが設けられている。当該スイッチとして電源部２０５のパネルに新たに専用のスイッチを設けてもよいが、電源部２０５のパネルにある既存のスイッチ、例えば打ち止めスイッチ２０５３、設定キースイッチ２０５４、設定変更／リセットスイッチ２０５５などを利用してもよい。あるいは、操作部２０２のスイッチ類を利用してもよい。
【００３９】
メイン基板２００のＣＰＵが実行する具体的な手順について、図１０のフローチャートを参照して説明する。
【００４０】
Ｓ２１：設定変更時刻の監視を行うために、電源部２０５の電源スイッチ２０５１をＯＮにする。これにより、メイン基板２００及びサブ基板２０１に通電が開始される。
【００４１】
Ｓ２２：設定変更時間帯を設定するか否かを決定する。
本願発明の実施の形態２では、例えば営業時間中に設定変更ができないように監視するが、必要に応じてこの監視を解除する場合には、設定変更不可時間帯を設定しない、すなわち、本発明の実施の形態２を実行しない設定をすることが可能である。また、一旦行った設定を解除する場合には、電源をＯＦＦにしてから再設定をするか、所定のスイッチ操作を定める等により行ってもよい。
【００４２】
Ｓ２３：設定変更時間帯を設定する。例えば、電源投入時に打ち止めスイッチ２０５３をＯＮにしておくと、設定変更時間帯の設定モードに入る。すなわち、設定変更時間帯記憶部２０６５に設定変更不可時間帯を設定する。
【００４３】
図１１は、記憶部２０６５に既に記憶されている設定変更時間帯テーブル、すなわち設定変更不可時間帯及び設定変更可能時間帯の設定の一例を示す概略図である。通常、設定変更はホールの営業開始前又は営業終了後に行われる。そこで、図１１に示すように、ホールの営業中に当たるホールの開店時間及びその前後を設定変更不可時間帯Ａに設定し、それ以外の時間を設定変更可能時間帯Ｂに設定する。図９に示すように、メイン基板にはタイマーとして機能するリアルタイムクロック（ＲＴＣ）２０６３が接続されている。リアルタイムクロック２０６３は、一度時刻を設定すれば、電源がＯＦＦになった場合にもバックアップ電源（図示しない）からの電源供給で時間を刻み続けることができるため、電源をＯＦＦ−ＯＮしても現在時刻を再設定する必要がなく、リアルタイムの時間管理に適している。
【００４４】
Ｓ２４：設定変更時間帯が設定されたら、リアルタイムクロック２０６３から現在の時刻を取得し、現在の時刻が設定変更不可時間帯Ａか、設定変更可能時間帯Ｂかを判断する。現在の時刻はリアルタイムクロック２０６３により特定できるので、この時刻と設定変更時間帯記憶部２０６５で予め設定された時刻とを設定変更時間帯判断部２０６４で比較する。
【００４５】
Ｓ２５：現在の時刻が設定変更可能時間帯Ｂの範囲内であれば、設定キースイッチロック機構駆動部２０６１を駆動してロックを解除する。
【００４６】
Ｓ２６：現在の時刻が設定変更不可時間帯Ａの範囲内であれば、設定キースイッチロック機構駆動部２０６１を駆動して設定キースイッチ２０５４をロックする。
【００４７】
なお、上述した発明の実施の形態では、リアルタイムクロック２０６３、設定変更時間帯記憶部２０６５及び設定変更時間帯判断部２０６４等をメイン基板２００に設けた場合について説明したが、これらをサブ基板２０１に設けるようにしてもよい。
【００４８】
発明の実施の形態２に係る遊技機によれば、設定変更を禁止する時間帯を設定し、設定変更が行われる時刻を監視することにより、予め定められた適正な時間帯においてのみ設定変更を行うようにする。これにより通常設定変更が行われることのない営業時間中において設定変更操作を行うことができなくなる。
【００４９】
発明の実施の形態３．
発明の実施の形態２では、設定変更時間帯の設定をリアルタイムクロック２０６３を用いてリアルタイムな監視を行ったが、発明の実施の形態３では、リアルタイムクロック２０６３に時刻機能とともに、曜日や年月日に関するカレンダー機能を持たせる。そして、内部動作に関する設定変更の可能又は不可能に係る情報として、設定変更時間帯記憶部２０６５に時刻とともに曜日や年月日に関する情報も記憶させる。設定変更時間帯判断部２０６４は時刻とともに曜日や年月日についても比較判断する。このように構成することにより、設定変更不可時間帯の情報を曜日、年月日などの情報を含むカレンダー情報と連動させることができ、これによって長期的な設定変更時間帯の監視が可能となる。
【００５０】
図１２は、１週間単位で設定変更時間帯を設定する場合を示す図である。図において、設定変更不可時間帯Ａ及び設定変更可能時間帯Ｂを１週間単位で管理し、例えば月曜日が定休日の場合、ホール閉店時間と同様に設定変更可能時間帯Ｂとして設定することができる。この場合、月曜日全体を設定変更可能時間帯Ｂとして設定することも、その一部の時刻を設定変更可能時間帯Ｂとして設定することもできる。また、定休日以外の曜日全体を設定変更不可時間帯Ａとするようにしてもよい。さらに、図１３は、１ヶ月単位で設定変更時間帯を設定する場合を示す図である。図において、設定変更不可時間帯Ａ及び設定変更可能時間帯Ｂを１ヶ月単位で管理し、例えば月曜日が定休日の場合、ホール閉店時間と同様に設定変更可能時間帯Ｂとして設定することができる。定休日以外の曜日全体を設定変更不可時間帯Ａとするようにしてもよい。また、図１３における３１日は臨時休業の日であり、設定変更可能時間帯Ｂ（図中、「可※」で示す）として設定することができる。このような１ヶ月単位で設定変更時間帯の設定を１年単位又はそれ以上の年、月、日で行うことも可能である。
【００５１】
なお、上述した発明の実施の形態３では、休日を設定変更可能時間帯Ｂとして設定する場合について説明したが、ホールの状況等に応じて、適宜休日を設定変更不可時間帯Ａと設定することも勿論可能である。
【００５２】
発明の実施の形態４．
上記例は、予め設定変更可能な時間帯や曜日又は設定変更不可能な時間帯や曜日を設けるものであった。このやり方は時間帯を固定的・定型的とすることができる。これに対し、電源投入時又は設定変更時にタイマーをセットし、タイマーの動作開始から予め定められた一定時間を設定変更不可能時間帯とするようにしてもよい（例えば、電源投入から８時間は設定変更不可能時間帯とする）。
【００５３】
その説明図を図１４に示す。図１４（ａ）はホール開店準備中の電源投入時を基準として時間帯が設定される場合を示す。タイマー２１４がホール開店時間よりも少し長く設定されるので、ホール開店中は設定変更不可時間帯Ａに設定される。図１４（ｂ）は同図（ａ）に加えて、ホール閉店後の通常の設定変更を基準として時間帯が設定される場合を示す。この場合、ホール閉店後であっても設定変更不可時間帯Ａに設定される。設定変更時間帯判断部２０６４は、タイマー２０６３の出力を調べ、これがゼロであれば設定変更可能時間帯Ｂと判定し、そうでなければ設定変更不可時間帯Ａと判定する。
【００５４】
このやり方は設定変更の間に一定時間の間隔を設けるものであり、営業時間と切り離して時間帯を設定でき、これを可変的にすることができる。ホールの開店又は閉店にかかわらず設定変更の間隔を一定時間以上空けることができ、頻繁な設定変更を防止できる。
【００５５】
なお、上述した発明の実施の形態２〜４では設定変更不可時間帯Ａにおいて設定変更することは不可能であったが、通常の手順とは異なる特別な設定変更手順（例えば設定変更しようとすると必ずエラー報知されてリセット操作が要求される、あるいは特定の複雑な処理（左ボタン、中ボタン、スタートレバー、設定変更スイッチ・・・を順に押下するなど））に従うとき、特別に設定変更を行うようにしてもよい。例えば、図示しない、設定変更用特別手順記憶部を設け、当該設定変更用特別手順記憶部に、設定変更不可能時間帯においても特別に設定変更を行うための特別の手順（左ボタン、中ボタン、スタートレバー、設定変更スイッチ・・・を順に押下するなど）を記憶しておく。この特別な手順は遊技機の操作部２０２から入力することができるので、ホールごとに特別な手順を定め、事情に通じた者（例えばホールの店長）だけが設定変更を行えるようにできる。特別手順により設定変更不可時間帯においても設定変更が可能になるので、やむを得ない場合に設定変更不可時間帯でも設定変更を可能にする。特別手順を通常手順よりも複雑にすることによりセキュリティーの向上も併せて実現できる。
【００５６】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５７】
【図１】前扉を閉めた状態を示すスロットマシンの正面図である。
【図２】前扉を１８０度開いた状態を示すスロットマシンの正面図である。
【図３】発明の実施の形態１に係るスロットマシンの機能ブロック図である。
【図４】発明の実施の形態１に係るスロットマシンの電源部の正面図である。
【図５】発明の実施の形態に係るロック機構の説明図である。
【図６】発明の実施の形態に係るロック機構の説明図である。
【図７】発明の実施の形態に係る他のロック機構の説明図である。
【図８】発明の実施の形態１に係るロック／ロック解除の処理フローチャートである。
【図９】発明の実施の形態２に係るスロットマシンの機能ブロック図である。
【図１０】発明の実施の形態２に係るロック／ロック解除の処理フローチャートである。
【図１１】発明の実施の形態２に係るスロットマシンにおける設定変更不可時間帯の説明図である。
【図１２】発明の実施の形態３に係る１週間単位で設定変更時間帯を設定する場合の説明図である。
【図１３】発明の実施の形態３に係る１ヶ月単位で設定変更時間帯を設定する場合の説明図である。
【図１４】発明の実施の形態４に係るスロットマシンにおける設定変更不可時間帯の説明図である。
【符号の説明】
【００５８】
１    メダルセレクタ
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
１４０    ストップボタン
２００    メイン基板（制御部）
２０１    サブ基板
２０２    操作部
２０３    リールユニット
２０４    演出表示部
２０５    電源部
２０５４  設定キースイッチ
２０５４ａ  ロータ
２０５４ｂ  シリンダー
２０６０  指紋照合機
２０６０ａ  検出部
２０６０ｂ  入力部
２０６１  設定キースイッチロック機構駆動部
２０６２  ロック機構
２０６２ａ  ロック機構先端部
２０６１−２  ソレノイドによる設定キースイッチロック機構駆動部
２０６２−２  ソレノイドに駆動されるロック機構（ソレノイド作用部）
２０６３  リアルタイムクロック
２０６４  設定変更時間帯判断部
２０６５  設定変更時間帯記憶部
Ｘ    凹部
【図１】
2006223489.tif 000003
【図２】
2006223489.tif 000004
【図３】
2006223489.tif 000005
【図４】
2006223489.tif 000006
【図５】
2006223489.tif 000007
【図６】
2006223489.tif 000008
【図７】
2006223489.tif 000009
【図８】
2006223489.tif 000010
【図９】
2006223489.tif 000011
【図１０】
2006223489.tif 000012
【図１１】
2006223489.tif 000013
【図１２】
2006223489.tif 000014
【図１３】
2006223489.tif 000015
【図１４】
2006223489.tif 000016